(57)【要約】【課題】ビデオカメラなどの撮影機器の水平出し作業を容易とし、しかも構造が単純であり、低コストな三脚装置を提供すること。【解決手段】三脚の脚部の上端が回動自在に連結される連結部５１に対して上下動自在な上下移動体１の上端に、放射状に延びる複数のすり割り溝１３が形成され、可撓性を有し、略椀状のコレット１１を備えたコレット部１５が配設され、コレットは、略椀状の内面において半球状のボウルレベラー１６の半球面１８に接触してボウルレベラーを受け、上下移動体の上端部に上下移動体に対し上下動自在なカラー２０がコレットの外側に配設され、カラーは内側にコレットの外側面に当接可能な当接部２１を有する。【選択図】図１
2008164035.tif 000002
【特許請求の範囲】
【請求項１】
三脚の脚部の上端が回動自在に連結される連結部に対して上下動自在な上下移動体の上端に、放射状に延びる複数のすり割り溝が形成され、可撓性を有し、略椀状のコレットを備えたコレット部が配設され、コレットは、略椀状の内面において半球状のボウルレベラーの半球面に接触してボウルレベラーを受け、上下移動体の上端部に上下移動体に対し上下動自在なカラーがコレットの外側に配設され、カラーは内側にコレットの外側面に当接可能な当接部を有し、カラーの上方への移動により当接部がコレットの外側面に当接してコレットを内側に撓ませ、コレットの内面がボウルレベラーの半球面に圧接し、保持してボウルレベラーを水平位置に固定することを特徴とする三脚装置。
【請求項２】
コレット部はコレットベースを備え、コレットベースが上下移動体の上端部に連結され、コレットベースの上端にコレットが配設されることを特徴とする請求項１に記載の三脚装置。
【請求項３】
コレットベースは、コレットの下端から下方に延設され、コレットと一体に形成されていることを特徴とする請求項２に記載の三脚装置。
【発明の詳細な説明】
【技術分野】
【０００１】
本発明は、ビデオカメラなどの撮影機器の水平出しを行う三脚装置に関する。
【背景技術】
【０００２】
ビデオカメラなどの撮影機器の安定したパンおよびチルトを可能にするために、水準器によって三脚の脚部の長さを調節し、撮影機器の水平出しが行われるが、正確な水平出しを行うためには微調節が必要であり、また、ある程度水平出しが行われている場合、撮影場所が異なるたびに三脚の脚部の長さを調節するのは操作が面倒であるので、たとえば特許文献１に記載されたような支持体が知られている。
【０００３】
特許文献１に記載された支持体は、三脚の位置決めとは独立して撮影機器を水平位置に固定するものであり、上下に延びるピラーの上端部にボールおよびソケットを有するボール／ソケットジョイントを備え、ボールをソケットに固定するタイロッドが、ピラーの内部を通り、ピラーの下端部に設けられたノブによって操作可能としている。
【０００４】
上記支持体は、三脚の脚部が上端において回動自在に連結される脚台に対し上下動自在に設けられ、撮影機器が固定プレート、雲台などを介して搭載されるボールをソケットに対して傾動させ、撮影機器を水平位置に配置した後、ノブを操作してタイロッドによりボールを固定し、撮影機器の水平出しを行うことができる。したがって、上記支持体では、三脚の位置決めとは別に撮影機器の水平出しが可能である。
【特許文献１】特表２００５−５２１８４４号公報
【発明の開示】
【発明が解決しようとする課題】
【０００５】
しかしながら、タイロッドを操作するノブはピラーの下端部に設けられており、撮影機器はピラーの上端部に設けられたボールに搭載されるので、ボールをソケットに対し傾動させ、撮影機器を水平位置に合せる操作位置とボールの固定位置とが異なる高さにあり、ノブは三脚の脚台より下方に位置するため、水平出し作業を行う者は無理な姿勢を強いられる。このため、撮影機器の水平出し作業は必ずしも容易でなく、また、ノブの操作の際に、水平位置に合せた撮影機器の重量などによってボールが不意に回動することもあり、正確な水平出しのために手間がかかるという問題がある。
【０００６】
また、ボールをソケットに固定するために、タイロッドや実際にはタイロッドの上端に第２のボール／ソケットジョイントが必要であり、構造が必ずしも単純であるとはいえず、コストに反映する。
【０００７】
本発明は、以上の通りの事情に鑑みてなされたものであり、ビデオカメラなどの撮影機器の水平出し作業を容易とし、しかも構造が単純であり、低コストな三脚装置を提供することを課題としている。
【課題を解決するための手段】
【０００８】
本発明の三脚装置は、上記の課題を解決するために、以下のことを特徴としている。
【０００９】
第１に、三脚の脚部の上端が回動自在に連結される連結部に対して上下動自在な上下移動体の上端に、放射状に延びる複数のすり割り溝が形成され、可撓性を有し、略椀状のコレットを備えたコレット部が配設され、コレットは、略椀状の内面において半球状のボウルレベラーの半球面に接触してボウルレベラーを受け、上下移動体の上端部に上下移動体に対し上下動自在なカラーがコレットの外側に配設され、カラーは内側にコレットの外側面に当接可能な当接部を有し、カラーの上方への移動により当接部がコレットの外側面に当接してコレットを内側に撓ませ、コレットの内面がボウルレベラーの半球面に圧接し、保持してボウルレベラーを水平位置に固定する。
【００１０】
第２に、上記第１の特徴において、コレット部はコレットベースを備え、コレットベースが上下移動体の上端部に連結され、コレットベースの上端にコレットが配設される。
【００１１】
第３に、上記第２の特徴において、コレットベースは、コレットの下端から下方に延設され、コレットと一体に形成されている。
【発明の効果】
【００１２】
上記第１の発明によれば、撮影機器が搭載されるボウルレベラーの下端部に位置するカラーを操作することによってボウルレベラーを水平位置に固定することができ、撮影機器を水平位置に合せる操作位置とボウルレベラーの固定位置が近接しており、撮影機器の水平出し作業が容易となる。正確な水平出しのために手間は要しない。しかも、ボウルレベラーの水平位置への固定がコレット部とカラーとによって実現されるため、ボウルレベラーを固定するための構造が単純であり、低コスト化が図れる。
【００１３】
上記第２の発明によれば、上記第１の発明の効果に加え、コレットの上下移動体の上端への配設が容易となる。
【００１４】
上記第３の発明によれば、上記第１の発明の効果に加え、コレットの上下移動体の上端への配設がより容易となる。
【発明を実施するための最良の形態】
【００１５】
図１は、本発明の三脚装置の第１の実施形態を示した縦断面図である。
【００１６】
三脚の脚部の上端が回動自在に連結される連結部５１の中央部に略円筒状のボディ５２が接続されている。上下移動体１としての中空円筒状のインナーパイプ１ａがボディ５２の内部に挿入され、インナーパイプ１ａは、連結部５１に対して上下動自在とされている。ボディ５２の上端部には長さ方向に直角に固定ねじ５３が設けられている。固定ねじ５３は連結部５１を貫通し、先端がインナーパイプ１ａの外側面に接触可能とされている。インナーパイプ１ａを所定長さに引き上げまたは下げ、固定ねじ５３を締め付けることにより、インナーパイプ１ａは固定される。
【００１７】
インナーパイプ１ａの上端部には、キャップ状のコレットベース３が平行ピン４によって連結され、固定されている。
【００１８】
図２＜ａ＞＜ｂ＞は、それぞれ、図１に示したコレットベース３を示した平面図、Ｘ−Ｘ断面図である。
【００１９】
コレットベース３は、円筒状の胴部５と胴部５の上端に一体的に配設されたリング状の上端面部６とを有する。胴部５の外径は、図１に示したインナーパイプ１ａの内径より小さくされている。上端面部６には中央部に上下に貫通するボルト孔７が形成され、上端面部６の外周縁部は、外径が胴部５の外径より大きく、インナーパイプ１ａの外径より小さくされ、鍔部８が形成されている。コレットベース３は、胴部５をインナーパイプ１ａの内部に挿入することにより、上端面部６をインナーパイプ１ａの上端面に配置することができるが、このとき、上端面部６の鍔部８の底面がインナーパイプ１ａの上端面に重合し、コレットベース３はインナーパイプ１ａの上端に安定して配置される。
【００２０】
胴部５には、直径方向に貫通するピン孔９が２つ形成されている。ピン孔９は、インナーパイプ１ａの上端部に直径方向に貫通するピン孔に対応して位置しており、コレットベース３を、胴部５をインナーパイプ１ａの内部に挿入してインナーパイプ１ａの上端に配置し、インナーパイプ１ａのピン孔にピン孔９を一致させた後、インナーパイプ１ａの上端部に形成された一方のピン孔から平行ピン４を差し込み、そのピン孔に一致するピン孔９を通じて他方のピン孔９およびこのピン孔９に一致するインナーパイプ１ａのピン孔まで貫通させることにより、コレットベース３がインナーパイプ１ａの上端部に連結され、固定される。
【００２１】
上端面部６には、上端面から上方に弧状のリブ１０が突設されている。リブ１０は、略１／４円状であり、ボルト孔７の外側にボルト孔７と同心円上に４つ配設されている。
【００２２】
図１に示したように、図２＜ａ＞＜ｂ＞に示したコレットベース３の上端にコレット１１が配設されている。
【００２３】
図３＜ａ＞＜ｂ＞は、それぞれ、図１に示したコレット１１を示した平面図、Ｙ−Ｙ断面図である。
【００２４】
コレット１１は略椀状の形状を有している。底部の中央部には、コレットベース３の図２＜ａ＞＜ｂ＞に示したボルト孔７より内径の大きいボルト孔１２が形成され、ボルト孔１２の外側において底部から上端に延びるすり割り溝１３が形成されている。すり割り溝１３は放射状に延びており、ボルト孔１２の中心から４５°の間隔で８つ設けられている。コレット１１は可撓性を有しており、たとえばアルミニウムなどの軽金属や樹脂などから形成することができる。
【００２５】
また、コレット１１には、底面部に、コレットベース３の図２＜ａ＞＜ｂ＞に示したリブ１０に対応して弧状の、すなわち、略１／４円状の係合溝１４が形成されている。したがって、コレットベース３のリブ１０を係合溝１４に差し込み、係合させることにより、コレットベース３の上端面部６の上端面に底面を重合させて載置したコレット１１がコレットベース３の上端に安定に保持される。図１に示した三脚装置では、以上のコレット１１およびコレットベース３からコレット部１５が形成されている。
【００２６】
コレット１１は、図１に示したように、ビデオカメラなどの撮影機器を搭載するための固定プレート、雲台などが接続される半球状のボウルレベラー１６の受けであり、コレット１１の図３＜ａ＞＜ｂ＞に示した内面１７はボウルレベラー１６の半球面１８に接触する。ボウルレベラー１６は、半球面１８がコレット１１の内面１７に接触することにより、コレット１１にガイドされて前後左右に傾動し、撮影機器の水平出しを可能にしている。
【００２７】
ボウルレベラー１６は、厚み方向の略中央部から底面にかけて中央部にねじ穴が設けられており、このねじ穴にボルト１９ねじ込むことによってコレットベース３およびコレット１１と結合する。すなわち、コレットベース３の上端に上記の通りにコレット１１を保持させた後、ボルト１９をコレットベース１１の胴部５の下端から挿入し、重合しているボルト孔７、１２を通じてボウルレベラー１６のねじ穴にねじ込むと、ボウルレベラー１６はコレット１１およびコレットベース３に結合される。ボルト孔７の内径はボルト１９の外径より大きく、したがって、ボウルレベラー１６は、ボルト１９がボルト孔７、１２に接触する範囲内でコレット１１にガイドされて前後左右に傾動する。コレット１１は、上記の通り、係合溝１４においてインナーパイプ１ａの上端部に固定されたコレットベース３のリブ１０に係合しており、このため、ボウルレベラー１６が傾動する際に、コレット１１がとも回りすることはない。このように、ボウルレベラー１６がコレット１１に対して傾動自在にコレット１１およびコレットベース３に結合された状態において、上記の通りの平行ピン４によるコレットベース３のインナーパイプ１ａの上端部への固定が行われる。
【００２８】
図１に示したように、インナーパイプ１ａの上端部には、さらにリング状のカラー２０がインナーパイプ１ａに対し上下動自在に設けられている。カラー２０は、厚み方向の略中央部から下端部にかけて内周面にねじが切られ、インナーパイプ１ａの上端部の外周面に刻設されたねじと噛み合い、カラー２０の回転によりカラー２０がインナーパイプ１ａに対して上下に移動するようになっている。また、カラー２０は、コレット１１およびコレットベース３に結合されたボウルレベラー１６の下端部に配置されている。
【００２９】
カラー２０の内径は、コレット１１の外径に対応して厚さ方向の略中央部から上端にかけて漸次拡大しており、カラー２０の内面は上端部では内側から外側に向かう傾斜面状に形成され、コレット１１の外側面に当接可能な当接部２１が形成されている。
【００３０】
図１に示した三脚装置では、ビデオカメラなどの撮影機器の水平出しを行う際には、三脚の位置決めを行い、撮影機器が水平に配置可能な状態にした後、水準器などを用いてボウルレベラー１６を前後左右に傾動させ、水平位置に合せる。ボウルレベラー１６は、半球面１８がコレット１１の内面１７に接触し、コレット１１にガイドされるので、傾動は容易であり、水平位置に容易に合せることができる。撮影機器が水平位置に配置された後には、カラー２０を回転させ、上方に移動させ、当接部２１をコレット１１の外側面に当接させ、コレット１１を内側に押し付ける。コレット１１は、可撓性を有しており、また、すり割り溝１３が形成されているので、内径が縮小するように変形し、その結果、コレット１１の内面１７がボウルレベラー１６の半球面１８に圧接する。この圧接によりボウルレベラー１６は保持され、水平位置に固定される。
【００３１】
このように、図１に示した三脚装置では、撮影機器が搭載されるボウルレベラー１６の下端部に位置するカラー２０を操作することによってボウルレベラー１６を水平位置に固定することができ、撮影機器を水平位置に合せる操作位置とボウルレベラー１６の固定位置が近接しており、撮影機器の水平出し作業が容易となっている。撮影機器を水平位置に合せた後、直ちにボウルレベラー１６を水平位置に固定することができ、正確な水平出しのために手間は要しない。また、ボウルレベラー１６の水平位置への固定が、コレット１１およびコレットベース３から形成されるコレット部１５とカラー２０とによって実現されるため、ボウルレベラー１６を固定するための構造が単純となっている。したがって、三脚装置の低コスト化が図れる。
【００３２】
加えて、コレット１１は、インナーパイプ１ａの上端部に平行ピン４により連結、固定されたコレットベース３の上端に、リブ１０を係合溝１４に係合させることにより配設されているため、コレット１１のインナーパイプ１ａの上端への配設が容易となっている。
【００３３】
図４は、本発明の三脚装置の第２の実施形態を示した要部縦断面図である。
【００３４】
図４に示した三脚装置において図１に示した三脚装置と共通する部分には同一の符号を付し、その説明を省略する。
【００３５】
図４に示した三脚装置では、コレット部１５が図１に示した三脚装置のコレット部１５と異なっている。図４に示した三脚装置においてもコレット部１５はコレット１１およびコレットベース３から形成されているが、コレット１１とコレットベース３は別部材ではなく、一体化されている。
【００３６】
すなわち、図５＜ａ＞＜ｂ＞＜ｃ＞に示したように、コレット部１５では、コレットベース３がコレット１１の下端から延設され、コレット１１と一体に形成されている。コレットベース３は円筒状であり、図２＜ａ＞＜ｂ＞に示した上端面部６は省略されている。したがって、コレットベース３はリブ１０を有さず、コレット１１には図３＜ｂ＞に示した係合溝１４は形成されていない。また、コレット１１の底部に形成されたボルト孔１２のみであり、図２＜ａ＞＜ｂ＞に示したボルト孔７は省略されている。図４に示したように、コレットベース３の下端よりボルト１９を挿入し、ボルト孔１２を通してボウルレベラー１６のねじ穴にねじ込むことにより、ボウルレベラー１６はコレット部１５に結合される。
【００３７】
また、コレット部１５では、コレットベース３の外径はインナーパイプ１ａの内径より小さく、コレットベース３をインナーパイプ１ａの内部に挿入してコレット１１をインナーパイプ１ａの上端に配置することができる。そして、図１に示した三脚装置と同様に、平行ピン４をインナーパイプ１ａの上端部に直径方向に形成された一方のピン孔からこのピン孔に一致するコレットベース３の直径方向に形成された図５＜ｂ＞＜ｃ＞に示した一方のピン孔９に差し込み、他方のピン孔９およびこのピン孔９に一致するインナーパイプ１ａに形成されたピン孔まで貫通させることにより、コレット部１５をインナーパイプ１ａの上端に配設することができる。
【００３８】
カラー２０は回転による上方移動により当接部２１がコレット１１の外側面に当接し、コレット１１は内側に撓み、コレット１１の内面１７がボウルレベラー１６の半球面１８に圧接し、保持してボウルレベラー１６を水平位置に固定する。図１に示した三脚装置と同様な効果が実現される。
【００３９】
加えて、図４に示した三脚装置では、コレットベース３がコレット１１と一体に形成されているので、コレット１１のインナーパイプ１ａの上端への配設がより容易となっている。
【００４０】
なお、図５＜ａ＞に示したように、コレット１１には、すり割り溝１３が、ボルト孔１２の中心から１２０°の間隔で３つ形成されている。このように、すり割り溝１３は、コレット１１において放射状に延びる複数のものであれば、その数、間隔などは特に制限されない。
【００４１】
図６は、本発明の三脚装置の第３実施形態を示した要部縦断面図である。
【００４２】
図６に示した三脚装置は、底部にボウルレベラーボルト２２が打ち込まれたボウルレベラー１６をコレット部１５およびカラー２０によって水平位置に固定することができるようにしたものである。基本的な構成は、図１に示した三脚装置と同様であり、図１に示した三脚装置と共通する部分には同一の符号を付し、その説明を省略する。たとえば、コレット部１５を形成するコレット１１とコレットベース３は別体であり、コレットベース３の上端面部６の上端面から上方に突出するリブ１０が係合溝１４に係合してコレット１１がコレットベース３の上端に保持されている。
【００４３】
そして、図６に示した三脚装置では、コレットベース３の底部からボルト孔７を通じて下方に延びるナット２３が設けられている。また、コレットベース３の上端面部６の下端面から下方に延びるナット２４が設けられている。ナット２４は、内径がナット２３の外径より大きく、外径がインナーパイプ１ａの内径より小さい。ナット２３の外周面にはねじが切られており、ナット２３をコレットベース３の上端面部６のボルト孔７を通じてコレットベース３から下方に突出させた後、ナット２４をナット２３の下端からねじ上げていくことによって、ナット２３およびナット２４はコレットベース３に固定される。ナット２４には、下端部に回り止め孔２５が直径方向に貫通して形成されている。
【００４４】
ナット２４の回り止め孔２５に対応するインナーパイプ１ａの上端部には、図１に示した平行ピン４を兼ねる回り止めピン２６が直径方向に進退自在に設けられている。
【００４５】
図６に示した三脚装置において、ボウルレベラー１６を組み付ける際には、図７に示したように、コレット１１およびコレットベース３から形成されるコレット部１５が、回り止めピン２６およびインナーパイプ１ａにおいて回り止めピン２６に対向する位置に配置されたピン２７によってインナーパイプ１ａの上端に配設された状態において、ボウルレベラーボルト２２の先端部をナット２３にねじ込む。次いで、回り止めピン２６をインナーパイプ１ａの内側に進出させ、先端をナット２４に形成された回り止め孔２５に差し込む。ナット２４は回り止めピン２６によって固定される。この後、ボウルレベラーボルト２２をナット２３にさらにねじ込み、ボウルレベラー１６の半球面１８をコレット１１の内面１７に接触させる。この後、回り止めピン２６をインナーパイプ１ａの外側に向けて後退させ、ナット２４の回り止めピン２６による固定を解除する。こうして、ボウルレベラーボルト２２が底部に打ち込まれたボウルレベラー１６の組み付けを完了する。
【００４６】
組み付け後は、図８に示したように、ボウルレベラー１６をコレット１１にガイドさせて前後左右に傾動し、ビデオカメラなどの撮影機器の水平出しを行うことができる。ナット２４は、外径がインナーパイプ１ａの内径より小さいため、外側面２８がインナーパイプ１ａの内側面に接触する範囲でボウルレベラー１６の前後左右の傾動が可能である。傾動範囲を拡大するために、ボルト２４の外側面２８は、図６−８に示したように、上端から下端にかけて先細となる円錐面とすることができる。
【００４７】
ボウルレベラー１６の水平位置の固定は、図１に示した三脚装置と同様に、カラー２０を回転により上方に移動させることによって実現される。
【図面の簡単な説明】
【００４８】
【図１】本発明の三脚装置の第１の実施形態を示した断面図である。
【図２】＜ａ＞＜ｂ＞は、それぞれ、図１に示したコレットベースを示した平面図、Ｘ−Ｘ断面図である。
【図３】＜ａ＞＜ｂ＞は、それぞれ、図１に示したコレットを示した平面図、Ｙ−Ｙ断面図である。
【図４】本発明の三脚装置の第２の実施形態を示した図である。
【図５】＜ａ＞＜ｂ＞＜ｃ＞は、それぞれ、図１に示したコレット部を示した平面図、側面図、Ｚ−Ｚ断面図である。
【図６】本発明の三脚装置の第３実施形態を示した要部縦断面図である。
【図７】図６に示した三脚装置のボウルレベラーの組み付け時の様子を示した要部縦断面図である。
【図８】ボウルレベラーの傾動およびカラーによるボウルレベラーの水平位置への固定を示した要部縦断面図である。
【符号の説明】
【００４９】
１  上下移動体
３  コレットベース
１１  コレット
１３  すり割り溝
１５  コレット部
１６  ボウルレベラー
１７  内面
１８  半球面
２０  カラー
２１  当接部
５１  連結部
【図１】
2008164035.tif 000003
【図２】
2008164035.tif 000004
【図３】
2008164035.tif 000005
【図４】
2008164035.tif 000006
【図５】
2008164035.tif 000007
【図６】
2008164035.tif 000008
【図７】
2008164035.tif 000009
【図８】
2008164035.tif 000010
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
三脚の脚部の上端が回動自在に連結される連結部に対して上下動自在な上下移動体の上端に、放射状に延びる複数のすり割り溝が形成され、可撓性を有し、略椀状のコレットを備えたコレット部が固定され、コレットは、略椀状の内面において半球状のボウルレベラーの半球面に接触してボウルレベラーを受け、ボウルレベラーは、ボルトによりコレット部に結合され、コレットにガイドされて前後左右に傾動自在とされ、上下移動体の上端部に上下移動体に対し上下動自在なカラーがコレットの外側に配設され、カラーは内側にコレットの外側面に当接可能な当接部を有し、カラーの上方への移動により当接部がコレットの外側面に当接してコレットを内側に撓ませ、コレットの内面がボウルレベラーの半球面に圧接し、保持してボウルレベラーを水平位置に固定することを特徴とする三脚装置。
【請求項２】
コレット部はコレットベースを備え、コレットベースが上下移動体の上端部に連結され、コレットベースの上端にコレットが配設され、コレットベース、コレットにはそれぞれボルト孔が形成され、コレットに形成されたボルト孔の内径はボルトの外径より大きく、コレットに形成されたボルト孔の内径はコレットベースに形成されたボルト孔の内径より大きく、これらボルト孔を通じてボルトによってボウルレベラーがコレット部に結合されていることを特徴とする請求項１に記載の三脚装置。
【請求項３】
コレットベースは、コレットの下端から下方に延設され、コレットと一体に形成され、コレットにボルトの外径より大きい内径のボルト孔が形成され、ボルト孔を通じてボルトによってボウルレベラーがコレット部に結合されていることを特徴とする請求項１に記載の三脚装置。
【手続補正２】
【補正対象書類名】明細書
【補正対象項目名】０００９
【補正方法】変更
【補正の内容】
【０００９】
第１に、三脚の脚部の上端が回動自在に連結される連結部に対して上下動自在な上下移動体の上端に、放射状に延びる複数のすり割り溝が形成され、可撓性を有し、略椀状のコレットを備えたコレット部が固定され、コレットは、略椀状の内面において半球状のボウルレベラーの半球面に接触してボウルレベラーを受け、ボウルレベラーは、ボルトによりコレット部に結合され、コレットにガイドされて前後左右に傾動自在とされ、上下移動体の上端部に上下移動体に対し上下動自在なカラーがコレットの外側に配設され、カラーは内側にコレットの外側面に当接可能な当接部を有し、カラーの上方への移動により当接部がコレットの外側面に当接してコレットを内側に撓ませ、コレットの内面がボウルレベラーの半球面に圧接し、保持してボウルレベラーを水平位置に固定する。
【手続補正３】
【補正対象書類名】明細書
【補正対象項目名】００１０
【補正方法】変更
【補正の内容】
【００１０】
第２に、上記第１の特徴において、コレット部はコレットベースを備え、コレットベースが上下移動体の上端部に連結され、コレットベースの上端にコレットが配設され、コレットベース、コレットにはそれぞれボルト孔が形成され、コレットに形成されたボルト孔の内径はボルトの外径より大きく、コレットに形成されたボルト孔の内径はコレットベースに形成されたボルト孔の内径より大きく、これらボルト孔を通じてボルトによってボウルレベラーがコレット部に結合されている。
【手続補正４】
【補正対象書類名】明細書
【補正対象項目名】００１１
【補正方法】変更
【補正の内容】
【００１１】
第３に、上記第１の特徴において、コレットベースは、コレットの下端から下方に延設され、コレットと一体に形成され、コレットにボルトの外径より大きい内径のボルト孔が形成され、ボルト孔を通じてボルトによってボウルレベラーがコレット部に結合されている。
【手続補正５】
【補正対象書類名】明細書
【補正対象項目名】００２７
【補正方法】変更
【補正の内容】
【００２７】
ボウルレベラー１６は、厚み方向の略中央部から底面にかけて中央部にねじ穴が設けられており、このねじ穴にボルト１９ねじ込むことによってコレットベース３およびコレット１１と結合する。すなわち、コレットベース３の上端に上記の通りにコレット１１を保持させた後、ボルト１９をコレットベース３の胴部５の下端から挿入し、重合しているボルト孔７、１２を通じてボウルレベラー１６のねじ穴にねじ込むと、ボウルレベラー１６はコレット１１およびコレットベース３に結合される。ボルト孔７の内径はボルト１９の外径より大きく、したがって、ボウルレベラー１６は、ボルト１９がボルト孔７、１２に接触する範囲内でコレット１１にガイドされて前後左右に傾動する。コレット１１は、上記の通り、係合溝１４においてインナーパイプ１ａの上端部に固定されたコレットベース３のリブ１０に係合しており、このため、ボウルレベラー１６が傾動する際に、コレット１１がとも回りすることはない。このように、ボウルレベラー１６がコレット１１に対して傾動自在にコレット１１およびコレットベース３に結合された状態において、上記の通りの平行ピン４によるコレットベース３のインナーパイプ１ａの上端部への固定が行われる。